(57)【要約】【課題】分散形計算機制御システム（ＤＣＳ）に対し、プロセスデータやアラームイベントデータ、及びオペレータの監視・操作履歴を、互いに関連付けて時系列に保存し、表示することを可能とする運転操作履歴収集システムを提供する。【解決手段】プラントを制御する分散形計算機制御システム１０９に接続される運転操作履歴収集システム１０８であって、プロセスデータとアラームイベントデータ、分散形計算機制御システムのモニタ１０２の表示画面情報と映像情報、及びオペレータの操作情報を、同期して且つ時系列的に収集し保存する情報収集部と情報保存部を備える。さらに、情報保存部に保存したプロセスデータ、アラームイベントデータ、表示画面情報、映像情報、及び操作情報のうち、任意のデータまたは情報の全てまたは一部を抽出する抽出条件が入力され、抽出条件に基づいてデータまたは情報を抽出し表示装置に同期して表示する演算処理部を備える。【選択図】図１
2011253476.tif 000002
【特許請求の範囲】
【請求項１】
プラントを制御する分散形計算機制御システムと前記プラントの運転操作履歴を表示する表示装置とに接続される運転操作履歴収集システムであって、
前記分散形計算機制御システムからのプラント制御に関するプロセスデータとアラームイベントデータ、前記分散形計算機制御システムのオペレータが監視しているモニタの表示画面情報と映像情報、及び前記オペレータの操作情報を、同期して且つ時系列的に収集し保存する情報収集部及び情報保存部と、
前記情報保存部に保存した前記プロセスデータ、前記アラームイベントデータ、前記表示画面情報、前記映像情報、及び前記操作情報のうち、任意のデータまたは情報の全てまたは一部を抽出するための抽出条件が入力され、前記抽出条件に基づいてデータまたは情報を抽出し前記表示装置に同期して表示する演算処理部を備える、
ことを特徴とする運転操作履歴収集システム。
【請求項２】
請求項１記載の運転操作履歴収集システムにおいて、
前記演算処理部は、前記情報保存部に保存した前記プロセスデータ、前記アラームイベントデータ、前記表示画面情報、前記映像情報、及び前記操作情報のうち、任意の時点または時間帯の情報を要求に応じて抽出して、前記表示装置に同期して表示する運転操作履歴収集システム。
【請求項３】
請求項１記載の運転操作履歴収集システムにおいて、
前記情報収集部は、
前記分散形計算機制御システムの本体をなすオペレータズコンソールを介して前記プロセスデータ、前記アラームイベントデータ、及び前記表示画面情報を収集し、
且つ、これらのデータ及び情報の収集に同期して、前記分散形計算機制御システムのモニタと前記オペレータズコンソール間の配線に設けられた分岐器を介して取り出される前記映像情報と、前記分散形計算機制御システムのキーボードと前記オペレータズコンソール間の配線に設けられた分岐器を介して取り出される前記操作情報と、前記分散形計算機制御システムのマウスと前記オペレータズコンソール間の配線に設けられた分岐器を介して取り出される前記操作情報とを、時系列的に収集する運転操作履歴収集システム。
【請求項４】
請求項１記載の運転操作履歴収集システムにおいて、
前記抽出条件は、前記プロセスデータに対する閾値条件であり、
前記演算処理部は、前記プロセスデータが前記閾値条件を満たしているときの前記表示画面情報と前記操作情報を抽出する運転操作履歴収集システム。
【請求項５】
請求項１記載の運転操作履歴収集システムにおいて、
前記抽出条件は、前記プロセスデータに対する閾値条件と前記プロセスデータを抽出するための時間情報であり、
前記演算処理部は、前記プロセスデータが前記閾値条件と前記時間情報を満たしているときの前記表示画面情報と前記操作情報を抽出する運転操作履歴収集システム。
【請求項６】
請求項１記載の運転操作履歴収集システムにおいて、
前記抽出条件は、前記アラームイベントデータであり、
前記演算処理部は、前記アラームイベントが発生したときの前記表示画面情報と前記操作情報を抽出する運転操作履歴収集システム。
【請求項７】
請求項１記載の運転操作履歴収集システムにおいて、
前記抽出条件は、前記分散形計算機制御システムのモニタに表示した画面と前記プロセスデータであり、
前記演算処理部は、前記モニタに表示した画面が表示されているときのプロセスデータを抽出し、この抽出したプロセスデータに対する前記表示画面情報と前記操作情報を抽出する運転操作履歴収集システム。
【請求項８】
請求項１記載の運転操作履歴収集システムにおいて、
前記抽出条件は、前記オペレータの実行した操作と前記プロセスデータであり、
前記演算処理部は、前記オペレータが前記抽出条件に該当する操作を実行したときのプロセスデータを抽出し、この抽出したプロセスデータに対する前記表示画面情報と前記操作情報を抽出する運転操作履歴収集システム。
【請求項９】
請求項７または８記載の運転操作履歴収集システムにおいて、
前記演算処理部は、前記抽出したプロセスデータの値を演算し、この演算の結果を前記表示装置に表示する運転操作履歴収集システム。
【請求項１０】
請求項１記載の運転操作履歴収集システムにおいて、
前記抽出条件は、前記映像情報を抽出するための時間情報であり、
前記演算処理部は、前記時間情報を満たしているときの前記映像情報を抽出し、前記表示装置に動画として再現する運転操作履歴収集システム。
【発明の詳細な説明】
【技術分野】
【０００１】
本発明は、プラントにおける分散形計算機制御システム（ＤＣＳ）に関し、より詳細には、分散形計算機制御システム（ＤＣＳ）のデータを収集するシステムに関する。
【背景技術】
【０００２】
分散形計算機制御システム（ＤＣＳ）が制御するプロセスプラントでは、各種の運転データを収集して保存している。例えば、プロセスデータは、分散形計算機制御システム（ＤＣＳ）本体によりトレンドデータとして保存され、アラームイベントは、分散形計算機制御システム（ＤＣＳ）本体によるヒストリカルデータとして保存されている。従来、トレンドデータとヒストリカルデータは、別々に分散して保存されていた。従って、これらのデータの関連性を解析するためには、人によるデータの突合せが必要になり、膨大な作業量となるばかりか、関連性があっても見出せない可能性がある。
【０００３】
特許文献１には、パーソナルコンピュータにトレンドデータや履歴データ（ヒストリカルデータ）などを保存するプラント運転制御装置が開示されている。このプラント運転制御装置では、トレンドデータと履歴データを相互に関連付けて、表示することができる。
【０００４】
しかし、従来の分散形計算機制御システム（ＤＣＳ）では、上述したようにトレンドデータとヒストリカルデータが分散して保存されているため、これらのデータとモニタの画面情報やオペレータによるキーボードやマウスの操作情報を、互いに関連付けて収集・保存する機能がない。従って、プロセスデータの変動時またはアラームイベントの発生時に、オペレータがどのような画面を表示させ、どのような操作を行っているのかは、オペレータ個人の記憶に頼るものとなり、情報として顕在化されていない。
【先行技術文献】
【特許文献】
【０００５】
【特許文献１】特開２００２−３５８１１７号公報
【発明の概要】
【発明が解決しようとする課題】
【０００６】
分散形計算機制御システム（ＤＣＳ）が導入されるような複雑且つ大規模なプロセスプラントでは、熟練オペレータがどのような情報を得ながらどのような操作を行っているかは、そのオペレータの経験的知見による感覚的なものでしか存在していない。このため、熟練オペレータが不在となると、継続して安定的にプラントを操業できない可能性がある。
【０００７】
また、トラブルまたは事故の発生時には、プロセスデータやアラームイベントデータと関連付けられている画面表示情報やオペレータによる操作情報がないため、どのような経過でトラブルや事故が発生したか解析できない場合がある。
【０００８】
このため、分散形計算機制御システム（ＤＣＳ）に対して、プロセスデータやアラームイベントデータ、及びオペレータの監視・操作履歴を、互いに関連付けて時系列に保存し、表示することができるシステムが望まれている。
【０００９】
本発明の目的は、分散形計算機制御システム（ＤＣＳ）に対し、プロセスデータやアラームイベントデータ、及びオペレータの監視・操作履歴を、互いに関連付けて時系列に保存し、表示することを可能とする運転操作履歴収集システムを提供することである。
【課題を解決するための手段】
【００１０】
本発明による運転操作履歴収集システムは、次のような構成をとる。
【００１１】
プラントを制御する分散形計算機制御システム（ＤＣＳ）と前記プラントの運転操作履歴を表示する表示装置とに接続される運転操作履歴収集システムであって、前記分散形計算機制御システム（ＤＣＳ）からのプラント制御に関するプロセスデータとアラームイベントデータ、前記分散形計算機制御システム（ＤＣＳ）のオペレータが監視しているモニタの表示画面情報と映像情報、及び前記オペレータの操作情報を、同期して且つ時系列的に収集し保存する情報収集部及び情報保存部を備える。さらに、前記情報保存部に保存した前記プロセスデータ、前記アラームイベントデータ、前記表示画面情報、前記映像情報、及び前記操作情報のうち、任意のデータまたは情報の全てまたは一部を抽出するための抽出条件が入力され、前記抽出条件に基づいてデータまたは情報を抽出し前記表示装置に同期して表示する演算処理部を備える。
【発明の効果】
【００１２】
本発明により、分散形計算機制御システム（ＤＣＳ）に対し、オペレータの監視、操作履歴を時系列に表示・保存することが可能となり、合わせて関連するプロセスデータやアラームイベントデータを表示・保存することが可能となる。
【００１３】
これにより、オペレータの監視、操作内容を顕在化することができ、例えばトラブル発生時には、プロセスの挙動とオペレータの監視、操作履歴を時系列に表示でき、原因究明を支援することができる。
【図面の簡単な説明】
【００１４】
【図１】運転操作履歴収集システムと分散形計算機制御システム（ＤＣＳ）の構成と情報の流れを示す図。
【図２】運転操作履歴収集システムのシステム構成を示す図。
【図３】プロセスデータと閾値によって、表示画面情報と操作情報を抽出する手順を説明する図。
【図４】アラームイベントによって、表示画面情報と操作情報を抽出する手順を説明する図。
【図５】モニタに表示された画面とプロセスデータによって、表示画面情報と操作情報を抽出する手順を説明する図。
【図６】オペレータが行った操作とプロセスデータによって、表示画面情報と操作情報を抽出する手順を説明する図。
【図７】開始時刻と終了時刻によって、モニタ映像を再生する手順を説明する図。
【発明を実施するための形態】
【００１５】
本発明による運転操作履歴収集システムは、分散形計算機制御システム（ＤＣＳ）と接続し、分散形計算機制御システム（ＤＣＳ）の入出力情報であるプロセスデータ及びアラームイベントデータと同期して、オペレータが監視しているモニタの表示画面情報及びオペレータによる操作情報の履歴を収集して保存する。また、収集・保存したデータを関連付け情報に基づいて抽出する。モニタに表示されるモニタ映像も運転操作履歴収集システムが収集して保存する。
【００１６】
「関連付け情報」とは、どのデータをどのように抽出するかという、データとその抽出条件とを関連付けた情報である。
【００１７】
「同期」とは、プロセスデータ及びアラームイベントデータと、モニタに表示されている画面（表示画面情報）及びこれらに対するオペレータの操作（操作情報）を、実際の表示時や操作時と同じであるように時間的に一致させることをいう。
【００１８】
「表示画面情報」とは、モニタに表示された全ての情報であり、トレンド、グラフィック、計器、グラフなどの表示を含めた、ウィンドウ画面の表示情報である。
【００１９】
「操作情報」とは、入力装置を用いて行う分散形計算機制御システム（ＤＣＳ）の操作に関する情報である。以下では、入力装置として、キーボードとマウスを用いる場合について説明する。
（構成及び動作の説明）
以下、本発明による運転操作履歴収集システムの構成例及び動作例を、図１、２を用いて説明する。
【００２０】
図１は、本発明による運転操作履歴収集システムと分散形計算機制御システム（ＤＣＳ）の構成と情報の流れを示す図である。
【００２１】
分散形計算機制御システム（ＤＣＳ）１０９は、オペレータズコンソール１０１を有する。オペレータズコンソール１０１は、プラント情報であるプロセスデータ（温度や圧力など、プラントのプロセス状態を表すデータ）とアラームイベントデータ（警告やエラーなど、発生したアラームイベントに関するデータ）をプラントから受信し、保持する。これらのデータは、モニタ１０２に表示される。また、オペレータによるキーボード１０３やマウス１０４の操作情報も、合わせてモニタ１０２に表示される。
【００２２】
運転操作履歴収集システム１０８は、分散形計算機制御システム（ＤＣＳ）１０９と接続されており、オペレータズコンソール１０１からプロセスデータ、アラームイベントデータ、表示画面情報、及び時刻データを受信する。また、運転操作履歴収集システム１０８は、モニタ１０２に表示される映像（モニタ映像）、及びオペレータによるキーボード１０３とマウス１０４の操作情報（キーボード操作情報、マウス操作情報）も受信する。
【００２３】
モニタ映像は、オペレータズコンソール１０１からモニタ１０２への配線途中に分岐器１０５を設け、分岐器１０５を介して運転操作履歴収集システム１０８へ送信することにより、運転操作履歴収集システム１０８が受信する。これにより、運転操作履歴収集システム１０８は、モニタ映像を映像情報として収集して保存する。
【００２４】
キーボード操作情報は、キーボード１０３からオペレータズコンソール１０１への配線途中に分岐器１０６を設け、分岐器１０６を介して運転操作履歴収集システム１０８へ送信することにより、運転操作履歴収集システム１０８が受信する。これにより、運転操作履歴収集システム１０８は、キーボード操作情報を収集して保存する。
【００２５】
マウス操作情報は、マウス１０４からオペレータズコンソール１０１への配線途中に分岐器１０７を設け、分岐器１０７を介して運転操作履歴収集システム１０８へ送信することにより、運転操作履歴収集システム１０８が受信する。これにより、運転操作履歴収集システム１０８は、マウス操作情報を収集して保存する。
【００２６】
運転操作履歴収集システム１０８は、オペレータズコンソール１０１、モニタ１０２、キーボード１０３、及びマウス１０４から受信した情報を同期して収集、保存する。
【００２７】
図２は、運転操作履歴収集システムのシステム構成を示す図である。
【００２８】
運転操作履歴収集システム１０８は、入力部２０１、記憶部２０２、及び演算処理部２０３を備え、モニタ２０４、キーボード２０５、及びマウス２０６と接続される。
【００２９】
入力部２０１は、分散形計算機制御システム（ＤＣＳ）１０９から、プロセスデータ、アラームイベントデータ、表示画面情報、時刻データ、モニタ映像、キーボード操作情報、及びマウス操作情報が入力され、分散形計算機制御システム（ＤＣＳ）１０９のデータや情報を収集する。
【００３０】
記憶部２０２は、入力部２０１が入力したプロセスデータ、アラームイベントデータ、表示画面情報、時刻データ、モニタ映像、キーボード操作情報、及びマウス操作情報を保存する。すなわち、分散形計算機制御システム（ＤＣＳ）１０９からのデータや情報を保存する。記憶部２０２に保存されたデータは、記憶部２０２の記憶容量に応じて、一定時間経過後に消去されるようにしてもよい。この場合は、記憶部２０２には、常に一定期間の最新データが保存される。
【００３１】
演算処理部２０３は、記憶部２０２に保存した上述のデータや、キーボード２０５やマウス２０６により入力された情報に基づき演算処理を行い、処理結果をモニタ２０４に表示する。
【００３２】
ここで、運転操作履歴収集システム１０８の動作の概要を説明する。動作の概要は、手順１〜４からなる。記憶部２０２には、上述のデータが保存されているものとする。
【００３３】
手順１では、オペレータは、キーボード２０５やマウス２０６を用いて、関連付け情報を入力する。関連付け情報とは、記憶部２０２に保存したデータと、このデータから一部を抽出して表示するときの抽出条件とを関連付けた情報である。
【００３４】
手順２では、演算処理部２０３は、入力された関連付け情報に基づき、記憶部２０２に対して抽出するデータを問い合わせる。
【００３５】
手順３では、演算処理部２０３は、入力された関連付け情報に基づき、記憶部２０２からデータを抽出する。
【００３６】
手順４では、演算処理部２０３は、抽出したデータをモニタ２０４に表示する。
【００３７】
プロセスデータ、アラームイベントデータ、表示画面情報、及び操作情報は、同期して時系列的に保存している。従って、指定したある時点（例えば、プロセスデータがある値に達したときや、アラームイベントが発生したときなど）やその前後の時間での表示画面やオペレータの操作を、時系列的に再現することが可能である。また、モニタ映像も保存しているので、表示画面やオペレータの操作を動画として再現（再生）することもできる。
【００３８】
以下では、本発明による運転操作履歴収集システムの実施例について、図３〜図７を用いて説明する。
【実施例１】
【００３９】
実施例１は、プロセスデータが指定した閾値以上または閾値以下になったときの表示画面情報と操作情報を抽出し、表示して再現する例である。図３を用いて、実施例１について説明する。
【００４０】
図３は、プロセスデータと閾値によって、表示画面情報と操作情報を抽出する手順を説明する図である。
【００４１】
手順１では、プロセスデータのリストであるプロセスデータリスト３０１がモニタ２０４に表示される。オペレータは、プロセスデータリスト３０１から、プロセスデータを選択して抽出する。
【００４２】
手順２では、オペレータは、選択して抽出したプロセスデータのうち、表示したいデータ範囲を定める閾値条件（閾値と、閾値以上のデータを表示するか閾値以下のデータを表示するかという区別）を入力する。これにより、閾値以上のデータまたは閾値以下のデータを抽出して表示することができる。図３では、閾値以上のデータ３０２を抽出する例を示している。
【００４３】
手順３では、オペレータは、開始時刻Ｓを入力する。開始時刻Ｓは、手順１で選択したプロセスデータを抽出するときの始点となる時刻である。
【００４４】
手順４では、オペレータは、終了時刻Ｅを入力する。終了時刻Ｅは、手順１で選択したプロセスデータを抽出するときの終点となる時刻である。
【００４５】
なお、手順３と手順４は、どちらか一方または両方を省略してもよい。手順３を省略すると終了時刻Ｅより前の時間に対して、手順４を省略すると開始時刻Ｓより後の時間に対して、閾値以上または閾値以下のデータが抽出される。また、手順３と手順４の両方を省略すると、記憶部２０２に保存されている全ての時間に対して、閾値以上または閾値以下のデータが抽出される。
【００４６】
以上の手順１〜４により、記憶部２０２に保存したデータ（本実施例では、プロセスデータ、表示画面情報、及び操作情報）と、これらのデータから一部を抽出して表示するときの抽出条件とが関連付けられ、関連付け情報が得られる。この関連付け情報に基づき、表示画面情報と操作情報を抽出することができる。
【００４７】
抽出された表示画面情報と操作情報は、抽出画面３０３のように表示することができる。抽出画面３０３には、抽出された表示画面情報から得られる表示画面（画面１〜３）と、この表示画面に対する操作の履歴（操作Ａ〜Ｆ）が表示される。図３に示した例では、画面１〜３は、開始時刻Ｓと終了時刻Ｅの間の時間で、プロセスデータが閾値以上になったときの画面の名称であり、操作Ａ〜Ｆは、このときに各画面に対して行った操作の項目である。
【００４８】
また、抽出された表示画面と操作履歴は、動画として再現（再生）することもできる。抽出画面３０３の「再生」欄には、「開始」、「巻戻」、「早送」、「一時停止」、及び「終了」ボタンが表示される。オペレータは、これらのボタンを操作して記憶部２０２に保存したモニタ映像を再生することで、表示画面と操作履歴を動画として再現できる。
【実施例２】
【００４９】
実施例２は、アラームイベントが発生したときの表示画面情報と操作情報を抽出し、表示して再現する例である。図４を用いて、実施例２について説明する。
【００５０】
図４は、アラームイベントによって、表示画面情報と操作情報を抽出する手順を説明する図である。
【００５１】
手順１では、アラームイベント項目（発生した警告やエラーの項目）のリストであるアラームイベント項目リスト４０１がモニタ２０４に表示される。オペレータは、アラームイベント項目リスト４０１から、アラームイベント項目を選択して抽出する。
【００５２】
手順２では、オペレータは、抽出する時間帯の開始時刻Ｓを入力する。開始時刻Ｓは、手順１で選択したアラームイベント項目のうち、アラームイベントを抽出するときの始点となる時刻である。
【００５３】
手順３では、オペレータは、抽出する時間帯の終了時刻Ｅを入力する。終了時刻Ｅは、手順１で選択したアラームイベント項目のうち、アラームイベントを抽出するときの終点となる時刻である。
【００５４】
なお、手順２と手順３は、どちらか一方または両方を省略してもよい。手順２を省略すると終了時刻Ｅより前の時間に対するアラームイベントが、手順３を省略すると開始時刻Ｓより後の時間に対するアラームイベントが抽出される。また、手順３と手順４の両方を省略すると、記憶部２０２に保存されている全ての時間に対するアラームイベントが抽出される。
【００５５】
以上の手順１〜３により、記憶部２０２に保存したデータ（本実施例では、アラームイベントデータ、表示画面情報、及び操作情報）と、これらのデータから一部を抽出して表示するときの抽出条件とが関連付けられ、関連付け情報が得られる。この関連付け情報に基づき、表示画面情報と操作情報を抽出することができる。
【００５６】
抽出された表示画面情報と操作情報は、抽出画面４０２のように表示することができる。抽出画面４０２は、実施例１の抽出画面３０３と同様の画面であるので、説明を省略する。
【実施例３】
【００５７】
実施例３は、分散形計算機制御システム（ＤＣＳ）のモニタに表示された画面とプロセスデータを指定して表示画面情報と操作情報を抽出し、表示して再現する例である。分散形計算機制御システム（ＤＣＳ）のモニタに表示された画面と、この画面が表示されているときのプロセスデータを指定することにより、表示画面情報と操作情報を抽出する。図５を用いて、実施例３について説明する。
【００５８】
図５は、分散形計算機制御システム（ＤＣＳ）のモニタに表示された画面とプロセスデータによって、表示画面情報と操作情報を抽出する手順を説明する図である。
【００５９】
手順１では、分散形計算機制御システム（ＤＣＳ）１０９のモニタ１０２に表示された画面のリストである表示画面リスト５０１が、モニタ２０４に表示される。オペレータは、表示画面リスト５０１から、画面を選択して抽出する。
【００６０】
手順２では、手順１で抽出した画面が表示されているときのプロセスデータのリストであるプロセスデータリスト５０２がモニタ２０４に表示される。オペレータは、プロセスデータリスト５０２から、表示したいプロセスデータを選択して抽出する。
【００６１】
以上の手順１、２により、記憶部２０２に保存したデータ（本実施例では、プロセスデータ、表示画面情報、及び操作情報）と、これらのデータから一部を抽出して表示するときの抽出条件とが関連付けられ、関連付け情報が得られる。この関連付け情報に基づき、表示画面情報と操作情報を抽出することができる。
【００６２】
抽出されたプロセスデータを演算し、演算結果を表示することもできる。本実施例では、演算として、プロセスデータの平均値、最小値、及び最大値を求め、演算結果表示画面５０３に演算結果を表示している。
【００６３】
なお、オペレータは、プロセスデータの演算範囲を時刻で指定することもできる。開始時刻Ｓと終了時刻Ｅを入力すると、開始時刻Ｓと終了時刻Ｅ間の時間範囲５０４におけるプロセスデータが演算される。また、開始時刻Ｓを指定しない場合は、終了時刻Ｅより前の時間に対して、終了時刻Ｅを指定しない場合は、開始時刻Ｓより後の時間に対して、プロセスデータが演算される。時間範囲を指定しない場合は、記憶部２０２に保存されている全ての時間に対して演算が行われる。
【実施例４】
【００６４】
実施例４は、オペレータの実行した操作とプロセスデータを指定して表示画面情報と操作情報を抽出し、表示して再現する例である。オペレータの実行した操作と、オペレータがこの操作を実行したときのプロセスデータを指定することにより、表示画面情報と操作情報を抽出する。図６を用いて、実施例４について説明する。
【００６５】
図６は、オペレータが行った操作とプロセスデータによって、表示画面情報と操作情報を抽出する手順を説明する図である。
【００６６】
手順１では、オペレータが行った操作のリストである操作項目リスト６０１がモニタ２０４に表示される。オペレータは、操作項目リスト６０１から、操作の項目を選択して抽出する。
【００６７】
手順２では、オペレータは、前時間幅ΔＴ１を入力する。前時間幅ΔＴ１は、プロセスデータを抽出する時間範囲を指定するためのパラメータである。手順１で抽出した操作が行われた時刻Ｔよりも前時間幅ΔＴ１だけ前の時刻から後のプロセスデータ、すなわち時刻Ｔ−ΔＴ１以後のプロセスデータが抽出される。
【００６８】
手順３では、オペレータは、後時間幅ΔＴ２を入力する。後時間幅ΔＴ２も、プロセスデータを抽出する時間範囲を指定するためのパラメータである。手順１で抽出した操作が行われた時刻Ｔよりも後時間幅ΔＴ２だけ後の時刻より前のプロセスデータ、すなわち時刻Ｔ＋ΔＴ２以前のプロセスデータが抽出される。
【００６９】
手順２、３により、時刻Ｔ−ΔＴ１と時刻Ｔ＋ΔＴ２間の時間範囲６０２におけるプロセスデータが抽出される。
【００７０】
手順４では、プロセスデータのリストであるプロセスデータリスト３０１がモニタ２０４に表示される。オペレータは、プロセスデータリスト３０１から、プロセスデータを選択して抽出する。
【００７１】
以上の手順１〜４により、記憶部２０２に保存したデータ（本実施例では、プロセスデータ、表示画面情報、及び操作情報）と、これらのデータから一部を抽出して表示するときの抽出条件とが関連付けられ、関連付け情報が得られる。この関連付け情報に基づき、表示画面情報と操作情報を抽出することができる。
【００７２】
抽出されたプロセスデータを演算し、演算結果を表示することもできる。本実施例では、演算として、プロセスデータの平均値、最小値、及び最大値を求め、演算結果表示画面５０３に演算結果を表示している。
【００７３】
なお、オペレータは、手順１で抽出した操作を複数回行うこともある。この場合には、各回の操作に対して、プロセスデータを抽出して関連付けることができる。図６に示した例では、オペレータは、時刻Ｔと時刻Ｔ’で操作を行っている。従って、時刻Ｔ−ΔＴ１と時刻Ｔ＋ΔＴ２間の時間範囲６０２と、時刻Ｔ’−ΔＴ１と時刻Ｔ’＋ΔＴ２間の時間範囲６０３におけるプロセスデータが抽出され、演算される。
【実施例５】
【００７４】
実施例５は、開始時刻と終了時刻を指定して記憶部２０２に保存したモニタ映像を抽出し、表示画面と操作履歴を動画として再現（再生）する例である。図７を用いて、実施例５について説明する。
【００７５】
図７は、開始時刻と終了時刻によって、モニタ映像を再生する手順を説明する図である。
【００７６】
手順１では、オペレータは、開始時刻Ｓを入力する。開始時刻Ｓは、記憶部２０２に保存したモニタ映像を抽出するときの始点となる時刻である。
【００７７】
手順２では、オペレータは、終了時刻Ｅを入力する。終了時刻Ｅは、記憶部２０２に保存したモニタ映像を抽出するときの終点となる時刻である。
【００７８】
以上の手順１、２により、記憶部２０２に保存したデータ（本実施例では、モニタ映像）と、このデータから一部を抽出して表示するときの抽出条件とが関連付けられ、関連付け情報が得られる。この関連付け情報に基づき、モニタ映像を表示画面情報や操作情報として抽出することができる。
【００７９】
抽出されたモニタ映像を再生し、表示画面と操作履歴を動画として再現することもできる。モニタ２０４には、「開始」、「巻戻」、「早送」、「一時停止」、及び「終了」ボタンを有する再生操作画面７０１が表示される。オペレータは、これらのボタンを操作して記憶部２０２に保存したモニタ映像を再生することで、再生画面７０２に示すように、表示画面と操作履歴を動画として再現できる。
【符号の説明】
【００８０】
１０１…オペレータズコンソール、１０２…モニタ、１０３…キーボード、１０４…マウス、１０５，１０６，１０７…分岐器、１０８…運転操作履歴収集システム、１０９…分散形計算機制御システム（ＤＣＳ）、２０１…入力部、２０２…記憶部、２０３…演算処理部、２０４…モニタ、２０５…キーボード、２０６…マウス、３０１…プロセスデータリスト、３０２…閾値以上のデータ、３０３…抽出画面、４０１…アラームイベント項目リスト、４０２…抽出画面、５０１…表示画面リスト、５０２…プロセスデータリスト、５０３…演算結果表示画面、５０４…時間範囲、６０１…操作項目リスト、６０２…時間範囲、６０３…時間範囲、７０１…再生操作画面、７０２…再生画面。
【図１】
2011253476.tif 000003
【図２】
2011253476.tif 000004
【図３】
2011253476.tif 000005
【図４】
2011253476.tif 000006
【図５】
2011253476.tif 000007
【図６】
2011253476.tif 000008
【図７】
2011253476.tif 000009